(57)【要約】【課題】常時はキャップの収納部に密閉収納している混合物を飲用時に本体の飲料水と混合する飲料容器を提供する。【解決手段】内部に飲料水を収納している飲料容器本体瓶口に取脱自在にネジ着されるキャップには、その下部に下方に突出した底面に機械的弱点部と上方に突出した押圧棒を形成している円筒形状の混合物を収納する収納筒が設けられ、該押圧棒の上面に連結される押圧体を押圧用キャップの内面に進退自在にネジ着されて該キャップの上方に設けられている突出部内側に押圧体を収納するように突出部を被冠して、該突出部外周面に設けられている係止用突起により上方へ外れることなく、側周面方向には回転可能に係止されている。飲用時には前記押圧用キャップを回動することにより押圧体が下方に押し下げられ、収納筒底面の機械的弱点部を破断して収納筒内の混合物を飲料水中に落下させる。【選択図】  図１
2005187022.tif 000002
【特許請求の範囲】
【請求項１】
飲料容器本体内部に飲料水を収納し、飲料容器本体瓶口には取脱自在にネジ着されるキャップを備えており、前記キャップ開放時には不正開放防止部が切断されて瓶口に残存するようにした飲料容器のキャップ構造において、
前記キャップの下部には下方に突出した有底の円筒形状の混合物を密閉収納した収納筒が設けられており、
該収納筒の底面には機械的弱点部が形成されているとともに、その中央には上方に突出した押圧棒が設けられており、
該押圧棒の上面に連結される押圧体は押圧用キャップの内面に進退自在にネジ着されて、該キャップの上方に設けられている筒状の突出部内部に該押圧体を収納するように該突出部を被冠して、該押圧用キャップは該キャップの突出部外周面に設けられている係止用突起により上方へ外れることなく側周面方向には回転可能に係止されており、
該押圧用キャップを回動することにより押圧体を下方に押し下げ、収納筒底面の機械的弱点部を破断して開口させて収納筒内の混合物を飲料水中に落下させるようにしたことを特徴とする飲料容器のキャップ構造
【請求項２】
前記突出部には側周内側面にガイド突起を備えており、
前記押圧体の側周外側面には該ガイド突起に嵌り合って回転が規制されて下方に押圧移動するためのガイド溝が設けられていることを特徴とする請求項１記載の飲料容器のキャップ構造
【請求項３】
前記突出部の下側にはテーパー状の受け部が設けられており、
前記押圧体には前記押圧用キャップのネジ緩め時において該テーパー状の受け部に密接してシール状態となるためのテーパー状の密接部設けられていることを特徴とする請求項１又は２記載の飲料容器のキャップ構造
【発明の詳細な説明】
【技術分野】
【０００１】
本発明は、微粉末状にした混合物と飲料水を分離状態に収納し、飲用時に両者を混合させて飲用する飲料容器の改良に関するものである。
【背景技術】
【０００２】
従来、お茶、コーヒー、ジュース等の飲料が缶、ビン、ペットボトル等の密閉された飲料容器に詰められて、自動販売機などで販売されている。
これらのものは、実際に消費者に渡るまでに時間がかかるため保存期間中の経年変化で風味が悪くなるという問題があり、粉末状にしたお茶などの食味材と飲料水を飲用直前に混合させることにより、飲用時に淹れたての風味を味わうことができるようにした飲料容器が提案されている。（例えば、特許文献１参照。）
【０００３】
これは図７に示すように、飲料容器１００の本体１０１の瓶口１０３に取脱自在にネジ着されているキャップ１０４内面に形成した筒状の収納部１０５内に粉末茶などの食味材１０６を収納して、食味材１０６と飲料水１０２を分離させて保管できるようになっており、飲用時にキャップ１０４を取り外して収納部１０５の下端開口部１０７を密閉させているシール部材１０８を剥がして食味材１０６を飲料水１０２に落下混入させる構造になっており、飲用時に淹れたての風味を味わうことができるようになっている。
【０００４】
【特許文献１】特開２００２−１１４２５９号公報（第２頁、第３図）
【発明の開示】
【発明が解決しようとする課題】
【０００５】
しかしながら、図７に示す飲料容器では一旦キャップ１０４を緩めて瓶口１０３より取り外し、シール部材１０８を剥がして食味材１０６を飲料水１０２に落下混入させることが必要であり、さらに食味材１０６を飲料水１０２に混入攪拌させるためには再びキャップ１０４を締め直すことが必要であり、混合作業のしやすい飲料容器が切望されている。
【課題を解決するための手段】
【０００６】
上記目的を達成するために第１の発明は、
飲料容器本体内部に飲料水を収納し、飲料容器本体瓶口には取脱自在にネジ着されるキャップを備えており、前記キャップ開放時には不正開放防止部が切断されて瓶口に残存するようにした飲料容器のキャップ構造において、
前記キャップの下部には下方に突出した有底の円筒形状の混合物を収納した収納筒が設けられており、
該収納筒の底面には機械的弱点部が形成されているとともに、その中央には上方に突出した押圧棒が設けられており、
該押圧棒の上面に連結される押圧体は押圧用キャップの内面に進退自在にネジ着されて、該キャップの上方に設けられている筒状の突出部内部に該押圧体を収納するように該突出部を被冠して、該押圧用キャップは該キャップの突出部外周面に設けられている係止用突起により上方へ外れることなく側周面方向には回転可能に係止されており、
該押圧用キャップを回動することにより押圧体を下方に押し下げ、収納筒底面の機械的弱点部を破断して開口させて収納筒内の混合物を飲料水中に落下させるようにしたことを特徴とする飲料容器のキャップ構造である。
【０００７】
第２の発明は、前記突出部には側周内側面にガイド突起を備え、前記押圧体の側周外側面には該ガイド突起に嵌り合って回転が規制されて下方に押圧移動するためのガイド溝が設けられていることを特徴とする請求項１記載の飲料容器のキャップ構造である。
第３の発明は、さらに前記突出部の下側にはテーパー状の受け部が設け、前記押圧体には前記押圧用キャップのネジ緩め時において該テーパー状の受け部に密接してシール状態となるためのテーパー状の密接部設けられていることを特徴とする請求項１又は２記載の飲料容器のキャップ構造である。
【発明の効果】
【０００８】
本願発明により、収納筒内に収納された混合物は、収納筒上面に貼着されているシール部材により常時は完全に密封収納された状態にあるため擂りたての風味を長期にわたって保つことができ、飲用時には押圧用キャップを回すだけの簡単な操作で確実に飲料水に収納筒内の混合物を混合されて、いつでも淹れたての美味しいお茶を味わうことができる。
また最終組立である押圧体と収納筒とを組立する時、押圧体の連結部の先端突起を収納部の凹状の被連結部に半強制的に押し込み連結する方式のため両者の連結が簡単に行える。
【０００９】
また飲用時は、押圧用キャップを回すことで同キャップに螺着されている押圧体がそのガイド溝が蓋本体キャップのガイド突起に嵌り合って回転が規制されて供回りすることがなく下方に押されて移動するため、収納筒の底面の略全周に設けられている機械的弱点部が確実に強制的に破壊させることができ、収納筒内の混合物はその破壊に伴って開口した底面から飲料水内に落下する構造のため収納筒内の混合物は押圧用キャップを回すだけの簡単操作で確実に飲料水に混合させることができる。
【００１０】
収納筒底面の破壊時、収納筒の底面は押圧棒を介して押圧体側に一体的に残存して飲料水側に落下することがないため、底面の一部破片等が飲料水中に浮遊したりせず衛生上、安全性でも好ましい。
さらに飲料水と混合物とを混ぜ合わせる場合に両者混合後に飲料容器を振るのであるが、押圧体のテーパー状の密接部がこれに対応する蓋本体キャップのテーパー状の受け部に密接してシール状態となるため、この場合にも飲料容器内の飲料水の漏れは起らない。
【発明を実施するための最良の形態】
【００１１】
本発明の実施例として混合物に臼で挽いて粉末状にした粉末茶を使用した場合の例を図１から図６を用いて説明する。なお混合物としては粉末状、顆粒状或いは液体状のものを使用することができる。
図１に示すように、ペットボトル等からなる飲料容器の本体２の中にはミネラルウォータ等の飲料水３が収納され、本体２の瓶口２ａの外周面に形成されているネジ部２ｂには、キャップ１が取脱自在にネジ着されている。
【実施例１】
【００１２】
キャップ１は図５に示すように蓋体キャップ４、押圧用キャップ５、押圧体６及び収納筒７から構成されている。
蓋体キャップ４はポリプロピレン樹脂（ＰＰ）などの合成樹脂からなり、下部の側周面４ｆには本体２の瓶口２ａの外周面に形成されているネジ部２ｂに取脱自在にネジ着されるネジ４ｅが内側に設けている。
蓋体キャップ４の上部には、筒状に上方に突出した突出部４ｂが形成されており、
突出部４ｂの内面には押圧体６のガイド溝６ａに嵌り合うガイド突起４ａが対向する面に設けられ、突出部４ｂの外周面には係止用突起４ｃが、突出部４ｂの下側にはテーパー状の受け部４ｄがそれぞれ設けられている。
また側周面４ｆの外周面にはローレット等のすべり止め加工がされており、側周面４ｆの内側上部には収納筒７の係止用鍔部７ｅを係止する溝４ｇが設けられている。
【００１３】
押圧用キャップ５は下面が開口し、上面の中心部に下方へ突起しているネジ部５ａを備えている略円筒形状のポリプロピレン樹脂（ＰＰ）などの合成樹脂からなり、
押圧用キャップ５の側周内面には係止用突起５ｂが設けられており、押圧用キャップ５を蓋体キャップ４の突出部４ｂに被冠した場合に、係止用突起５ｂが蓋体キャップ４の係止用突起４ｃに係止されて、押圧用キャップ５の上方へ外れを防止するとともに側周面方向へは回転可能に係止している。
なお押圧用キャップ５の側周外面にはローレット等のすべり止め加工がされている。
【００１４】
押圧体６はポリプロピレン樹脂（ＰＰ）などの合成樹脂からなり、
上面には押圧用キャップ５のネジ部５ａと進退自在にネジ着されるネジ部６ｂが設けられ、側周面には対向する２箇所に蓋体キャップ４のガイド突起４ａに嵌り合うガイド溝６ａが設けられている。
また側周面の下側には蓋体キャップ４のテーパー状の受け部４ｄに密接するテーパー状の密接部６ｃが設けられている。
さらに押圧体６の下面には後述する収納筒７の押圧棒７ｂの凹状の被連結部７ｇに連結される突起状の連結部６ｄが設けられている。
【００１５】
押圧体６はそのガイド溝６ａが蓋本体キャップ４のガイド突起４ａに嵌り合って回転が規制されて供回りすることがなく、押圧用キャップ５の回転に伴って下方に移動して、収納筒７の押圧棒７を下方に押し圧して収納筒７底面の機械的弱点部７ａを確実に破壊することができる。
収納筒７底面の機械的弱点部７ａが破壊されて形成された開口部より収納筒７に収納されている粉末茶８を飲料水３に落下させて混入させることができるようになっている。
【００１６】
収納筒７はポリプロピレン樹脂（ＰＰ）などの合成樹脂からなり、上面が開口している有底の略円筒形状をしている。
収納筒７の底面７ｃには略全周に形成された薄肉部、切溝部などからなる機械的弱点部７ａが設けられており、底面７ｃの中心部には上方に突出した押圧棒７ｂが設けられている。
なお押圧棒７ｂの下方はテーパー状に広がって底面７ｃに一体に形成されており、押圧体６からの押し圧を底面７ｃの機械的弱点部７ａに効率よく伝達できるようになっている。
また押圧棒７ｂの上面には凹状の被連結部７ｇが設けられており、最終組立である押圧体６と収納筒７とを組立する時、押圧体６の連結部６ｄの先端突起を収納部の凹状の被連結部７ｇに半強制的に押し込み連結する方式のため両者の連結が簡単に行えるようになっている。
【００１７】
また収納筒７の内部には粉末茶８を収納するための収納部７ｄが、上面７ｆの外周面には係止用鍔部７ｅがそれぞれ設けられており、鍔部７ｅが蓋体キャップ４の溝４ｇに係止されて本体２の瓶口２ａ上面にパッキン等のシール部材１１を介して当接して、収納筒７が瓶口２ａ内部に収納されるようになっている。
【００１８】
なお収納筒７の収納部７ｄに粉末茶８を収納した後、上面７ｆにアルミフィルムなどからなるシート状のシール部材１２を貼着または溶着させて完全に密封収納された状態にするようになっている。
そのため擂りたての風味を長期にわたって保つことができ、飲用時に淹れたての美味しいお茶を味わうことができるようになっている。
【００１９】
次に本実施例の飲用方法について説明する。
本飲料は、臼等で挽いて微粉末状にした粉末茶８が収納筒７に収納されて飲料容器１内では飲料水３と粉末茶８を常時分離させた状態で売店、自動販売機等で販売されている。
なお飲用時には、操作手順が飲料容器１側周面の表示ラベル等に記載されており、記載方法に従って操作するようになっている。
【００２０】
飲用する時には記載方法に従って飲料容器の上部に設けられている押圧用キャップ５を反時計方向に回転させる。
なお回転方向は押圧用キャップ５のネジ部５ａと押圧体６のネジ部６ｂを右ネジ或いは左ネジにすることにより選択することができるため本実施例の反時計方向に限定されるものでは無く、時計方向に回転させるようにしてもよい。
【００２１】
押圧用キャップ５の回転により、押圧体６がそのガイド溝６ａが蓋本体キャップ４のガイド突起４ａに嵌り合って回転が規制されているため供回りすることがなく押圧用キャップ５の回転に伴って下方に移動し、収納筒７の押圧棒７を下方に押し圧して収納筒７底面７ｃの機械的弱点部７ａを破壊する。
これにより図２に示すように収納筒７内の粉末茶８はその破壊に伴って開口した底面７ｃから飲料水３内に落下する。
【００２２】
このとき収納筒７の底面７ｃは押圧体側に一体的に残存して飲料水３側に落下することがないため、底面７ｃの一部破片等が飲料水３中に浮遊することがなく、衛生上、安全性でも好ましい。
【００２３】
同時に押圧体６のテーパー状の密接部６ｃがこれに対応する蓋本体キャップ４のテーパー状の受け部４ｄに密接してシール状態となる。
そのため、飲料水３と粉末茶８とを混ぜ合わせる場合に両者混合後に飲料容器１を振るのであるが、この場合にも飲料容器１内の飲料水３の液漏れが起らないようになっている。
【００２４】
そして混合後、蓋体キャップ４を反時計方向に回転させると、収納筒７が一体となって瓶口２ａより蓋体キャップ４と収納筒７が一体状態で取り外され、飲用することができるようになっている。
このとき、蓋体キャップ４の下面に設けられている不正開放防止部が切断されて本体２の瓶口２ａ部に残るようになっており、開放したことが容易にわかるようになっている。
【００２５】
このように押圧用キャップ５を回すだけの簡単な操作で確実に飲料水３に収納筒７内の粉末茶８を混合されることができる。
さらに図６に示すように、蓋体キャップ４、押圧用キャップ５の外側に不正操作防止を行うために、帯状、シート状などの開封確認部材１０を被着させて補助キャップ５の操作有無を確認できるようにしてもよい。
【００２６】
なお収納筒７の収納部７ｄに収納する混合物としては本実施例の粉末茶８に限定されるものではなく、本実施例以外の混合物としてコーヒー、紅茶、果汁、ミルク、砂糖、酒類、抽出液などを例示することができ、これらを粉末状、顆粒状或いは液体状にしたものを収納部７ｄに収納させて使用することができる。
【産業上の利用可能性】
【００２７】
本発明の活用例として、本体２に収納されるものは飲料水３に限定されるものではなく、液体状や粉末状のものでもよく、混合直後に使用することが必要な薬液、塗料、接着剤などにも使用することができる。
【図面の簡単な説明】
【００２８】
【図１】本願発明の実施例を示す説明図である。
【図２】本願発明の実施例の混合状態を示す説明図である。
【図３】蓋体キャップ４の説明図である。        （ａ）平面図        （ｂ）断面図
【図４】押圧体６の説明図である。        （ａ）平面図        （ｂ）断面図
【図５】キャップ１の説明図である。
【図６】図１に不正操作防止対策を行った場合の説明図である。
【図７】従来例のペットボトルの説明図である。
【符号の説明】
【００２９】
１    キャップ  
２    本体
２ａ  瓶口
２ｂ  ネジ部
３    飲料水
４    蓋体キャップ
４ａ  ガイド突起
４ｂ  突出部
４ｃ  係止用突起
４ｄ  受け部
４ｅ  ネジ部
５    押圧用キャップ
５ａ  ネジ部
５ｂ  係止用突起
６    押圧体
６ａ  ガイド溝
６ｂ  ネジ部
６ｃ  密接部
６ｄ  連結部
７    収納筒
７ａ  機械的弱点部
７ｂ  押圧棒
７ｃ  底面
７ｄ  収納部
７ｅ  鍔部
７ｇ  被連結部
８    粉末茶（混合物）
９    不正開放防止部
１０  開封確認部材
１２  シール部材
【図１】
2005187022.tif 000003
【図２】
2005187022.tif 000004
【図３】
2005187022.tif 000005
【図４】
2005187022.tif 000006
【図５】
2005187022.tif 000007
【図６】
2005187022.tif 000008
【図７】
2005187022.tif 000009